(57)【特許請求の範囲】
【請求項１】
溶融した軽合金を保持する保持炉（１）の上に開閉操作可能な金型（２）を配置し、前記保持炉（１）の湯面に圧縮空気を作用させてストーク（９）を介して溶湯を押し上げることにより前記金型（２）に溶湯を供給するように構成し、該保持炉（１）と前記金型（２）との間に開閉機構（３）を設け、該開閉機構（３）を、開閉体（４）と、該開閉体（４）を囲繞し、挿脱するホルダー（５）とから構成し、前記保持炉（１）から前記金型（２）への溶湯供給を導通、遮断出来るように構成した軽合金用の鋳造装置であって、
前記開閉体（４）と前記ホルダー（５）に連通孔（６Ａ），（６Ｂ）を形成すると共に前記開閉体（４）には、前記開閉体（４）を、その一操作方向において、溶湯通過位置（Ｐ２）及び遮断加圧位置（Ｐ３）の２位置に切り替えることが出来るように構成し、
前記開閉体（４）の前記遮断加圧位置（Ｐ３）よりも操作方向の下手側の位置における前記ホルダー（５）の上下内面（５Ａ），（５Ａ）の少なくとも一面（５Ａ）であって、且つ、前記開閉体（４）の２位置において前記溶融を逃がさない箇所に盗み段部（７Ａ）を形成してある、
ことを特徴とする軽合金用の鋳造装置。
【請求項２】
前記開閉体（４）には、更に、前記保持炉（１）からの溶湯を止めるトラップ凹部（７）を設け、且つ、該トラップ凹部（７）には外部へガス抜連通孔（８）が形成されており、前記開閉体（４）を、その一操作方向において、トラップ位置（Ｐ１）、溶湯通過位置（Ｐ２）及び遮断加圧位置（Ｐ３）の３位置に切り替えることが出来るように構成してあることを特徴とする請求項１に記載の軽合金用の鋳造装置。
【請求項３】
前記ホルダー（５）の盗み段部（７Ａ）がその上下内面（５Ａ），（５Ａ）に形成され、且つ、前記開閉体（４）の前記遮断加圧位置（Ｐ３）よりも操作方向の下手側の位置における前記開閉体（４）の下外面（４Ａ）に盗み段部（７Ｂ）を形成してあることを特徴とする請求項１又は請求項２に記載の軽合金用の鋳造装置。
【請求項４】
前記トラップ凹部（７）に通じるエア抜通路（１０）が前記開閉体（４）に形成されていることを特徴とする請求項２又は請求項３に記載の軽合金用の鋳造装置。
【請求項５】
前記開閉体（４）が平板状体（４ａ）で構成され、前記ホルダー（５）が該平板状体（４ａ）を挿脱可能に構成されていることを特徴とする請求項１乃至請求項４の何れか一項に記載の軽合金用の鋳造装置。
【請求項６】
前記開閉体（４）が棒状体（４ｂ）で構成され、前記ホルダー（５）が該棒状体（４ｂ）を挿脱可能に構成されていることを特徴とする請求項１乃至請求項４の何れか一項に記載の軽合金用の鋳造装置。
【請求項７】
請求項１又は請求項２に記載の軽合金用の鋳造装置を用いた鋳造方法であって、前記開閉体（４）を前記遮断加圧位置（Ｐ３）に位置させると同時に、又は加圧工程に先行して保持炉（１）の溶湯を初期位置に降下させることを特徴とする軽合金用の鋳造装置を用いた鋳造方法。
【発明の詳細な説明】
【技術分野】
【０００１】  本発明は、アルミ合金などの軽合金を鋳込むための鋳造装置と該鋳造装置を用いた鋳造方法の改良に関するものである。
【背景技術】
【０００２】  軽合金用の鋳造としては、金型を用いたダイカスト法が一般に用いられているが、これは、保持炉から供給される溶湯をプランジャー加圧して金型に圧入させる技術である。
このダイカスト法は、金型に溶湯を高圧、高速で注入して成形を行うことができて、短時間での鋳造が可能であり、薄肉鋳物の生産性が高いが、寸法精度が得難く、ガス及び酸化皮膜の巻き込みによる欠陥も多く、加えて、鋳物装置寸法も大型化してコストが大きく、使用エネルギーも大きいという問題がある。【０００３】  これに対し、最近においては、保持炉（ルツボ）の上部に金型を配置し、前記保持炉の溶湯に圧力を加え、セラミック製ストークを介して溶融を押し上げて金型に供給して成形を行う低圧鋳造法も提案されている。
この技術は、上述のダイカスト法に比べ、装置も簡素化でき、使用エネルギーも小さくて済む利点、及び高品質の鋳造品を得ることは可能であるが、金型の溶湯が凝固するまで溶湯の押し上げを終わらせることがないこと、即ち、金型と保持炉は連通状態のままであるからことから、溶湯凝固に時間を要し、鋳造のサイクルタイムが長くなって、生産性が低いという問題がある。【０００４】  こうした問題を解消するために、保持炉（ルツボ）と、該保持炉の上部に配置した金型との間に、溶湯の供給を許容し、或いは遮断するシール板を作動させる開閉機構を介在させるという提案がなされている。
即ち、この技術は、シール板によって、保持炉と金型とを遮断できるようにし、溶湯を降下させて金型内の溶湯の凝固を早めるようにしようとするものである。【０００５】  こうした技術として、次の文献を挙げることができる。
【特許文献１】特開２００８−２１３０３４
【発明の概要】
【発明が解決しようとする課題】
【０００６】  本発明者は、上述した従来技術のシール板（開閉体）を作動させる開閉機構を備えた鋳造装置の実験、研究を行ってきたが、前記シール板を平板状とし、或いは棒状とした構造のものにおいて、シール板が、そのホルダー内でのスムースな摺動が出来なくなり、稼動不能に陥るという問題に直面した。
かかる問題は、高温の溶湯に晒されるシール板が熱変形を来たすことが原因であると推測され、溶湯の漏れを防ぐためにホルダーと緊密に接当している構造では、少しの変形であってもホルダー内面に対する無理な接当状態を招いて、スムースな摺動が出来なくなるものと考えられる。【０００７】  加えて、金型への溶湯供給後に、加圧手段によって金型内の溶湯に圧力を加え、鋳型の隅々に対する溶湯の完全密着を図ることになっているため、この際、金型内の溶湯を介して、その加圧力が前記シール板に伝達されることになり、溶湯と接触して高温になることで機械的強度が低下している前記シール板の変形を助長しているということも推測される。【０００８】  本発明は、かかる問題点に鑑み、開閉機構を介在させることで在来の低圧鋳造法に比して製造サイクルを短くして生産性を高めながら、その開閉体を常に正常に摺動させることができるようにし、鋳造装置の生産効率を高めることができるようにすることを目的とする。
【課題を解決するための手段】
【０００９】  本発明にかかる軽合金用の鋳造装置は、溶融した軽合金を保持する保持炉（１）の上に開閉操作可能な金型（２）を配置し、前記保持炉（１）の湯面に圧縮空気を作用させてストーク（９）を介して溶湯を押し上げることにより前記金型（２）に溶湯を供給するように構成し、該保持炉（１）と前記金型（２）との間に開閉機構（３）を設け、該開閉機構（３）を、開閉体（４）と、該開閉体（４）を囲繞し、挿脱するホルダー（５）とから構成し、前記保持炉（１）から前記金型（２）への溶湯供給を導通、遮断出来るように構成した軽合金用の鋳造装置であって、
前記開閉体（４）と前記ホルダー（５）に連通孔（６Ａ），（６Ｂ）を形成すると共に前記開閉体（４）には、前記開閉体（４）を、その一操作方向において、溶湯通過位置（Ｐ２）及び遮断加圧位置（Ｐ３）の２位置に切り替えることが出来るように構成し、
前記開閉体（４）の前記遮断加圧位置（Ｐ３）よりも操作方向の下手側の位置における前記ホルダー（５）の上下内面（５Ａ），（５Ａ）の少なくとも一面（５Ａ）であって、且つ、前記開閉体（４）の２位置において前記溶融を逃がさない箇所に盗み段部（７Ａ）を形成してある、
という手段を講じたものである。【００１０】  本発明にかかる鋳造方法は、上述した軽合金用の鋳造装置を用いた鋳造方法であって、
前記開閉体（４）を前記遮断加圧位置（Ｐ３）に位置させると同時に、又は加圧工程に先行して保持炉（１）の溶湯を初期位置に降下させることを特徴とするものである。【００１１】  本発明において、軽合金とは、アルミニウムを主とする合金を意味するが、金型に供給して鋳込むことのできる既存の全ての軽合金を含む。
また、上記保持炉とは、単に、溶融した溶湯を保持する機能を備えるだけのものは勿論のこと、軽合金を溶融する機能を備えるものも含まれる。
更に、盗み段部とは、ホルダーについては、その内部の大きさを拡大させる切込み或いは凹部であり、開閉体については、その開閉体の厚み（或いは径）を減じる面取り或いは凹部を意味する。
【発明の効果】
【００１２】  本発明の装置によれば、開閉機構を介在させることで在来の低圧鋳造法に比して製造サイクルの短くして生産性を高めながら、ホルダーの所定箇所に盗み段部を形成することで、開閉体との接触面積を減らして開閉体に対する熱量の伝播を抑制することで、その開閉体の湾曲を極力抑えるようにし、同時に、多少の湾曲はその盗み段部で吸収することで、常にスムースに摺動させることができるようにしたものであり、これにより、開閉体の作動トラブルを未然に回避し、鋳造装置の生産効率を高めることができるに至ったものである。【００１３】  本発明の方法によれば、従来の低圧鋳造法と異なり、開閉体が遮断加圧位置にあるときに、保持炉の湯面を降下させるようにしたことで、開閉体と保持炉の溶湯との接触を直ちに遮断できて、溶湯による開閉体の加熱を回避させ、より一層開閉体の熱変形を防止できるようにすることができ、更に、開閉体の安定した摺動を維持させ易くなるという利点がある。
本発明の装置及び方法にかかるその他の具体的効果については、以下の実施例の説明から明らかとなろう。
【発明を実施するための好適形態】
【００１４】  本発明の実施に際しては、前記開閉体（４）には、更に、前記保持炉（１）からの溶湯を止めるトラップ凹部（７）を設け、且つ、該トラップ凹部（７）には外部へガス抜連通孔（８）が形成されており、前記開閉体（４）を、その一操作方向において、トラップ位置（Ｐ１）、溶湯通過位置（Ｐ２）及び遮断加圧位置（Ｐ３）の３位置に切り替えることが出来るように構成してあることが好ましい。
【００１５】  このように構成することで、ストーク（９）を介しての溶湯の押し上げに際し、その上昇溶湯の上面の酸化部を開閉体（４）に形成したトラップ凹部（７）に溜め置き、次いで、開閉体（４）を操作して溶湯通過位置（Ｐ２）に位置させることで、この酸化溶湯が前記開閉体（４）と前記ホルダー（５）の連通孔（６Ａ），（６Ｂ）から金型（２）へ送られないように自動的にカットするような状態で除去することができ、以って、酸化膜等の存在しない純粋な溶湯を金型（２）に供給させることができて、製品の品質を向上させることが出来る利点がある。
尚、ガス抜連通孔（８）が開閉体（４）のトラップ凹部（７）に連通されていることで、溶湯のストーク（９）内の上昇に伴うガスを容易に外部に排出され、このトラップ凹部（７）に酸化膜を有する溶湯部分を溜めることができる。このトラップ凹部（７）の酸化膜を有する溶湯部分は、開閉体（４）の移動操作後に適宜排出されることになる。
【００１６】  更に、前記ホルダー（５）の盗み段部（７Ａ）がその上下内面（５Ａ），（５Ａ）に形成され、且つ、前記開閉体（４）の前記遮断加圧位置（Ｐ３）よりも操作方向の下手側の位置における前記開閉体（４）の下外面（４Ａ）に盗み段部（７Ｂ）を形成してあることが好ましい。
【００１７】  このように、前記ホルダー（５）の盗み段部（７Ａ）がその上下内面（５Ａ），（５Ａ）の両面に形成されることで、開閉体（４）の上下の何れの方向での変形をも確実に吸収させることができ、常時スムースな移動が確保できる。
そして、その盗み段部（７Ａ）が前記開閉体（４）の前記遮断加圧位置（Ｐ３）よりも操作方向の下手側の位置にあり、前記開閉体（４）の２位置において前記溶融を逃がさない箇所に形成されているため、前記開閉体（４）が前記遮断加圧位置（Ｐ３）にあっても、その際に溶湯が前記盗み段部（７Ａ）から外部に漏れ出す虞はない。
【００１８】  更に、前記トラップ凹部（７）に通じるエア抜通路（１０）が前記開閉体（４）に形成されていることが好ましい。
このように構成することで、簡単な構造改変でもって前記開閉体（４）の作動に関わりなく、常に外部へのガス抜きが確保できる。
【００１９】  また、前記開閉体（４）が平板状体（４ａ）で構成され、前記ホルダー（５）が該平板状体（４ａ）を挿脱可能に構成されていることが好ましい。
このように板状体に構成することで、開閉体（４）の構造を簡単なものとすることができ、また、トラップ凹部（７）、連通孔（６Ａ）、盗み段部（７Ｂ）の加工を簡単に行うことができる。
【００２０】  更に、前記開閉体（４）が棒状体（４ｂ）で構成され、前記ホルダー（５）が該棒状体（４ｂ）を挿脱可能に構成されていることが好ましい。
このように、前記開閉体（４）が棒状体（４ｂ）、即ち、円柱状乃至ピストン状に構成されていることで、平板状に比べて熱変形、圧力変形を来たし難くすることができる。
【図面の簡単な説明】
【００２１】
【図１】本発明にかかる鋳造装置の一工程を示す全体の縦断面。
【図２】本発明にかかる鋳造装置の一工程を示す全体の縦断面。
【図３】本発明にかかる鋳造装置の一工程を示す全体の縦断面。
【図４】本発明にかかる鋳造装置の一工程を示す全体の縦断面。
【図５】本発明にかかる鋳造装置の一工程を示す全体の縦断面。
【図６】本発明にかかる鋳造装置の一工程を示す全体の縦断面。
【図７】本発明にかかる鋳造装置の開閉機構の要部の斜視面。
【図８】本発明にかかる鋳造装置の図７におけるＡ−Ａ線矢視断面図。
【図９】本発明にかかる鋳造装置の開閉機構の要部の分解平面面。
【図１０】本発明にかかる鋳造装置の図９におけるＢ−Ｂ線矢視断面面。
【図１１】本発明にかかる鋳造装置の開閉機構の一工程における開閉体の位置を示す全体の縦断面。
【図１２】本発明にかかる鋳造装置の開閉機構の一工程における開閉体の位置を示す全体の縦断面。
【図１３】本発明にかかる鋳造装置の開閉機構の一工程における開閉体の位置を示す全体の縦断面。
【図１４】本発明にかかる鋳造装置の開閉機構の一工程における開閉体の位置を示す全体の縦断面。
【図１５】本発明にかかる鋳造装置の開閉体の変形量と改良前の開閉体の変形量の比較を示すグラフ。
【図１６】本発明にかかる鋳造装置の開閉体の操作荷重と開閉体の温度との関係を示すグラフ。
【図１７】本発明にかかる鋳造装置の開閉体の別態様を示す斜視図。
【図１８】本発明にかかる鋳造装置の開閉体の図１６におけるＣ−Ｃ線矢視断面図。
【図１９】本発明にかかる鋳造装置の別態様の開閉体の変形量と改良前の開閉体の変形量の比較を示すグラフ。
【図２０】本発明にかかる鋳造装置の開閉体の更に別の態様を示す概略斜視図。
【実施例】
【００２０】  以下、本発明にかかる軽合金用の鋳造装置の好適実施例について、図面を参照して詳述する。
図１から図１４に示すように、この鋳造装置は、溶融した軽合金を保持する保持炉１の上に開閉操作可能な金型２を配置し、前記保持炉１の湯面に圧縮空気を作用させて、セラミック製の円筒状のストーク９を介して溶湯を押し上げることにより前記金型２に溶湯を供給するように構成されている。前記保持炉１は、この実施例では、軽金属を溶融する機能を備えた公知の構成のものであり、また、金型２も、割り型の従来公知の構成のものであり、ここでの詳細説明は省略する。【００２１】  そして、前記保持炉１と前記金型２との間に開閉機構３を設け、該開閉機構３を、開閉体４と、該開閉体４を囲繞し、挿脱するホルダー５とから構成し、前記保持炉１から前記金型２への溶湯供給を導通、遮断出来るように構成したものである。図７から図１０に示すように、ここでは、前記開閉体４が平板状体４ａで構成され、前記ホルダー５が該平板状体４ａを挿脱可能となるように構成されている。この開閉体４の作動は、油圧シリンダーで行われるが、サーボ機構（クランク機構などの機械的な手段）を用いて行ってもよい。【００２２】  更に、前記開閉体４と前記ホルダー５に、所定の相対位置で合致するところの湯道としての連通孔６Ａ，６Ｂを形成すると共に前記開閉体４には、前記開閉体４を、その押し引きの一操作方向において、溶湯通過位置Ｐ２及び遮断加圧位置Ｐ３の２位置に切り替えることが出来るように構成してある。【００２３】  更に、前記開閉体４の前記遮断加圧位置Ｐ３よりも操作方向の下手側の位置における前記ホルダー５の上下内面５Ａ，５Ａであって、且つ、前記開閉体４の２位置において前記溶融を逃がさない箇所に盗み段部７Ａを形成し、前記ホルダー５と前記開閉体４の熱伝播を抑制して湾曲変形を減じ、また、発生した湾曲変形を吸収できるように構成してある。
この実施例では、前記盗み段部７Ａは、従前の盗み段部のない開閉体の最大湾曲変形量である約０．１２ｍｍに設定されているが、実験における本発明の湾曲量の０．０７ｍｍとの間の範囲であれば、十分に実施可能である。【００２４】  本発明においては、更に、前記開閉体４には、前記保持炉１からの溶湯を止めるトラップ凹部７を設け、且つ、該トラップ凹部７には外部へガス抜連通孔８が形成されており、前記開閉体４を、その一操作方向において、トラップ位置Ｐ１、溶湯通過位置Ｐ２及び遮断加圧位置Ｐ３の３位置に切り替えることが出来るように構成してある。【００２５】  この構成によって、ストーク９を介しての溶湯の押し上げに際し、その上昇溶湯の上面の酸化部を開閉体４に形成したトラップ凹部７に溜め置き、次いで、開閉体４を操作して溶湯通過位置Ｐ２に位置させることで、この酸化溶湯が前記開閉体４と前記ホルダー５の連通孔６Ａ，６Ｂから金型２へ送られないように自動的にカットするような状態で除去することができ、以って、酸化膜等の存在しない純粋な溶湯を金型２に供給させることができて、製品の品質を向上させる。【００２６】  この際、ガス抜連通孔８が開閉体４のトラップ凹部７に連通されていることで、溶湯のストーク９内の上昇に伴うガスを容易に外部に排出され、このトラップ凹部７に酸化膜を有する溶湯部分を溜めることができる。このトラップ凹部７の酸化膜を有する溶湯部分は、開閉体４の移動操作後に適宜排出されるようにしている。【００２７】  更に、前記開閉体４の前記遮断加圧位置Ｐ３よりも操作方向の下手側の位置における前記開閉体４の下外面４Ａにも、盗み段部７Ｂを形成してある。
そして、前記トラップ凹部７に通じるエア抜通路８が前記開閉体４に穿孔される状態で形成されている。【００２８】  次に、作用について、図１から図６及び図１１から図１４に基づいて説明する。
図１は、鋳造開始状態を示し、この状態から保持炉１を圧縮空気で加圧し、溶湯を、ストーク９を介して上昇させる。
この時、図２及び図１１に示すように、開閉体４は、トラップ位置Ｐ１にあり、そのトラップ凹部７が前記ストーク９に面しており、上昇した酸化膜を持つ溶湯部分がこのトラップ凹部７に溜められる。この際、ストーク９の中を上昇する溶湯によって押し上げられるガスは、ガス抜通路８を介して外部に排出されるので、ガスが溜まることはない。【００２８】  次いで、開閉体４が、図２及び図１２に示すように、図示の右方向に移動操作され、溶湯通過位置Ｐ２を採ることになる。即ち、前記開閉体４と前記ホルダー５の連通孔６Ａ，６Ｂから溶湯が金型２へ送られ、金型２の内部に充填されることになる。
この際、上述したトラップ凹部７は右方に移動されるので、この内部に溜まった酸化溶湯は、カットされる状態で除去されることになり、金型２に送り込まれることがない。【００２９】  図４及び図１３は、前記開閉体４が更に右方向に操作、移動され、遮断加圧位置Ｐ３を採る状態を示す。即ち、上記連通孔６Ａ，６Ｂが遮断され、開閉体４によって、金型２は保持炉１と分断された状態となる。
この状態において、同時に、保持炉１の内部圧力は開放され、湯面が降下することになる。尚、前記開閉体４の連通孔
更に、金型２に設けた加圧ピストン１１が操作され、金型２の内部の溶湯に圧力が付与されて、溶湯が金型空間の隅々にまで到達できるようにされ、金型通りの鋳造を確実なものとする。【００３０】  そして、図５及び図１４は、鋳造完了状態を示し、開閉体４は、更に、右方向に操作、移動されることになる。
この際、開閉体４は、ほぼホルダー５から引き出され、そのトラップ凹部７及び連通孔６Ａは、外部に露出され、この状態において、夫々の凝固した溶湯が排出され、回収される。
そして、図６は、金型２が開き操作され、鋳造品が取り出されるのである。
このようにして、鋳造工程が繰り返し行われる。【００３１】  本発明の上述した鋳造装置を用い、前記開閉体４を前記遮断加圧位置Ｐ３に位置させたると同時に、又は加圧工程に先行して保持炉１の溶湯を初期位置に降下させる方法を実施できる。
この方法によれば、高温の溶湯を早く降下させ、開閉体４に対する熱量供給を大幅に減じることが可能であり、開閉体４の熱及び圧力変形を一層抑制できることになる。【００３２】  図１５は、本発明の開閉体４と従前の改良前の開閉体を使用した実験を通して得られた湾曲変形を比較したグラフであり、２点鎖線は、本発明を示し、実線は、従前のものを示す。
このグラフから分かるように、本発明においては、開閉体３の最大湾曲変形量を、約０．０７ｍｍに抑えることができることが分かる。
図１６は、開閉体４の操作荷重と温度との関係を示したグラフで、荷重は○、温度は△で示しており、このグラフから、開閉体４の操作荷重が、使用回数が増えても略一定であることが分かり、開閉体４の作動トラブルが生じ難いことが明らかである。また、開閉体４の温度上昇も略一定に保持されていることが分かる。【００３３】  図１７乃至図１９は、上記の開閉機構３の別態様を示し、図１７及び図１８に示すように、ここでは、上記開閉体４が、棒状体４ｂで構成され、上記ホルダー５が該棒状体４ｂを挿脱可能に構成されている。具体的には、開閉体４は円柱状に構成され、その軸線上の所定の間隔を隔てて、上記トラップ凹部７及び連通孔６Ａが形成されており、且つ、ブロック状のホルダー５にも、その連通孔６Ｂが形成され、以って、トラップ位置Ｐ１、溶湯通過位置Ｐ２、遮断加圧位置Ｐ３を採ることができるように構成されている。【００３４】  そして、上記盗み段部７Ａは、そのホルダー５の挿入内径を、０．１２ｍｍから０．０７ｍｍの範囲で拡径することで形成されており、また、棒状体４ｂにおいても、盗み段部７Ｂが、その外径を、同様の寸法で小径とすることで形成している。【００３５】  図１９は、この棒状体４ｂである開閉体４を用いた実験によって得られた棒状体４ｂの湾曲変形を、従前の棒状体の開閉体４と比較したもので、やはり、従前全では、その湾曲変形量が、約０．１５ｍｍであったのを、やはり、約０．０７ｍｍ程度に抑えることができることを示している。【００３６】  図２０は、上記開閉機構３の更に別の態様を示し、ここでは、前記開閉体４は、扇形体４ｃで構成され、その要の中心に回転軸４ｄが設けられ、これに駆動手段１２（電動モータ）が連動連結されている。
この扇形体４ｃは、所定半径の円弧位置に連通孔６Ａが形成され、仮想線で示すホルダー５に対して、回転によって摺動移動し、ホルダー５の対応位置に形成された連通孔６Ｂに対して、その連通孔６Ａが回転（所定の各角度分）による連通状態（溶湯通過位置Ｐ２）、或いは遮断状態を採ることができる構成されている。【００３７】  また、扇形体４ｃには、上記トラップ凹部７が所定半径の円弧位置に形成され、トラップ位置Ｐ１を採ることができる。勿論、前記遮断加圧位置Ｐ３を採るための単に保持炉１からの溶湯上昇を遮断するブロック位置Ｘが存在する。【００３８】  ここでは、上記実施例の開閉体４を、押し引き操作でなく、回転操作によって上記の３位置を採ることになるため、押し引き操作に比して、操作負荷が小さくなると共に円弧状位置にトラップ凹部７、溶湯通過位置Ｐ２の連通孔６Ａ、遮及び遮断加圧位置Ｐ３のブロック位置を設ければよいので、開閉体４が長尺物とならず、湾曲変形量を抑えることができて、スムースな作動を確保し易いだけでなく、回転故に作動変位量が少なく、機構全体としてコンパクトに構成できる。
【産業上の利用可能性】
【００３９】  本発明にかかる軽合金用の鋳造装置と方法は、開閉機構の簡単な構造改変によるも生産性の向上に寄与して多大の利益をもたらすもので、種々の軽合金用の鋳造装置に適用して有益なものであり、その適用範囲は広いものである。
【符号の説明】
【００４０】１：保持炉
２：金型
３：開閉機構
４：開閉体
４Ａ：開閉体の下外面
４ａ：平板状体
４ｂ：棒状体
５：ホルダー
５Ａ：上下内面
６Ａ：開閉体の連通孔
６Ｂ：ホルダーの連通孔
７：トラップ凹部
７Ａ：ホルダーの盗み段部
７Ｂ：開閉体の盗み段部
８：エア抜通路
９：ストーク
Ｐ１：トラップ位置
Ｐ２：溶湯通過位置
Ｐ３：遮断加圧位置
【図１】
0005505816.tif 000002
【図２】
0005505816.tif 000003
【図３】
0005505816.tif 000004
【図４】
0005505816.tif 000005
【図５】
0005505816.tif 000006
【図６】
0005505816.tif 000007
【図７】
0005505816.tif 000008
【図８】
0005505816.tif 000009
【図９】
0005505816.tif 000010
【図１０】
0005505816.tif 000011
【図１１】
0005505816.tif 000012
【図１２】
0005505816.tif 000013
【図１３】
0005505816.tif 000014
【図１４】
0005505816.tif 000015
【図１５】
0005505816.tif 000016
【図１６】
0005505816.tif 000017
【図１７】
0005505816.tif 000018
【図１８】
0005505816.tif 000019
【図１９】
0005505816.tif 000020
【図２０】
0005505816.tif 000021